(57)【要約】【課題】プロジェクターを備えたボード型電子黒板のように重量の嵩むボードの昇降操作を、何人も容易に行うことができる上下スライド式ボード機構を提供することを課題とする。【解決手段】背面に昇降機構を備えた壁面固定型の上下スライド式ボード機構であって、前記昇降機構には定荷重ばね８を収納したばね箱７が設置され、定荷重ばね８の先端部にＬ字形プレート９が取り付けられ、Ｌ字形プレート９が前記昇降機構のケース１１又はボードの裏側の任意の位置に固定されることにより、昇降機構によるボード１の昇降動作が補助される。例えば、ばね箱７にブラケットが配設され、ばね箱７は前記ブラケットを介して昇降機構のケース１１又はボードの裏側の任意の位置に固定される。【選択図】図１
2013010356.tif 000002
【特許請求の範囲】
【請求項１】
背面に昇降機構を備えた壁面固定型の上下スライド式ボード機構であって、前記昇降機構には定荷重ばねを収納したばね箱が設置され、前記定荷重ばねの先端部にＬ字形プレートが取り付けられ、前記Ｌ字形プレートが前記昇降機構のケース又はボードの裏側の任意の位置に固定されることにより、前記昇降機構による前記ボードの昇降動作が補助されることを特徴とする上下スライド式ボード機構。
【請求項２】
前記ばね箱にブラケットが配設され、前記ばね箱は前記ブラケットを介して前記昇降機構のケース又はボードの裏側の任意の位置に固定される、請求項１に記載の上下スライド式ボード機構。
【請求項３】
前記ボードはプロジェクターを備えた電子黒板又はホワイトボードである、請求項１又は２に記載の上下スライド式ボード機構。
【発明の詳細な説明】
【技術分野】
【０００１】
本発明は、上下スライド式ボード機構、より詳細には、壁面設置用のホワイトボードや黒板のような比較的重量のあるボードを、任意の高さに昇降させ、その位置に保持させることが容易な上下スライド式ボード機構に関するものである。
【背景技術】
【０００２】
従来より、上下方向にスライドする方式の黒板やホワイトボードが存する。例えば、その昇降機構は、黒板の裏面に、壁に取り付けられるケース内を上下方向に摺動するガイドバーが２本設置されて成る。そして、例えばケース内には一対の滑車と、滑車に掛け回される２条のワイヤーと、ワイヤーを付勢するスプリングとが配備され、各ワイヤーの端部が滑車とガイドバーとに固定される（実開昭４７−３６５３５号公報、実公昭５４−２９８５２号公報）構造を持つ。上記スプリングの代わりに、ピストンシリンダーを用いるものもある（実公昭５６−３６３５２号公報）。
【０００３】
ところで、近時、講義や授業、会議等に際し、黒板やホワイトボード等の筆記用ボードに映写用スクリーンを併設し、あるいは、ホワイトボードを映写用スクリーンと兼用にし、ボードにプロジェクターを搭載した、いわゆるボード型電子黒板が広く使用されるようになってきている。このボード型電子黒板は、プロジェクターを搭載しているために重量が嵩み、昇降タイプのものにおいて、後方の席からも見やすくするために上方に移動操作する際に、ある程度の力が必要となる。また、ボード昇降機構のブレーキ機能に影響が及び、ボードが少しずつ下がるという問題もある。
【先行技術文献】
【特許文献】
【０００４】
【特許文献１】実開昭４７−３６５３５号公報
【特許文献２】実公昭５４−２９８５２号公報
【特許文献３】実公昭５６−３６３５２号公報
【発明の概要】
【発明が解決しようとする課題】
【０００５】
本発明は、上述したように従来、昇降式のボードでボードの重量が嵩む場合において、その昇降操作を容易に行うことができ、また、ボードの重みによって昇降機構のブレーキ性能に支障をきたすおそれがあることに対する対策が施されていなかったことに鑑みてなされたものである。
【０００６】
即ち、本発明は、プロジェクターを備えたボード型電子黒板のように重量の嵩むボードの昇降操作を、何人も容易に行うことができ、また、ボードの重みによって昇降機構のブレーキ性能に支障をきたすおそれがない、壁面固定型の上下スライド式ボード機構を提供することを課題とする。
【課題を解決するための手段】
【０００７】
上記課題を解決するための請求項１に記載の発明は、背面に昇降機構を備えた壁面固定型の上下スライド式ボード機構であって、前記昇降機構には定荷重ばねを収納したばね箱が設置され、前記定荷重ばねの先端部にＬ字形プレートが取り付けられ、前記Ｌ字形プレートが前記昇降機構のケース又はボードの裏側の任意の位置に固定されることにより、前記昇降機構による前記ボードの昇降動作が補助されることを特徴とする上下スライド式ボード機構である。
【０００８】
一実施形態においては、前記ばね箱にブラケットが配設され、前記ばね箱は前記ブラケットを介して前記昇降機構のケース又はボードの裏側の任意の位置に固定される。また、前記ボードは、プロジェクターを備えた電子黒板又はホワイトボードとされる。
【発明の効果】
【０００９】
本発明は上述したとおりであって、本発明に係る上下スライド式ボード機構は、上下動するボードの背面に昇降機構を備え、前記昇降機構に前記昇降機構を補助するように作用する定荷重ばねを収納したばね箱が設置され、ボードは、定荷重ばねの作用で上方に付勢されるため、ボードの昇降操作は、ボードの重みを感じることなく、何人も容易く行うことができる。また、ボードは昇降機構に付設された定荷重ばねによって支持されるため、ボードの重量によって昇降機構のブレーキ機能が阻害されることがないという効果がある。
【図面の簡単な説明】
【００１０】
【図１】本発明に係る上下スライド式ボード機構の構成例を示すボードを除去した状態の正面図である。
【図２】本発明に係る上下スライド式ボード機構の構成例を示すボードを除去した状態の側面図である。
【図３】本発明に係る上下スライド式ボード機構において用いる定荷重ばねを収納したばね箱の構成を示す斜視図（縮時）である。
【図４】本発明に係る上下スライド式ボード機構において用いる定荷重ばねを収納したばね箱の構成を示す斜視図（伸時）である。
【発明を実施するための形態】
【００１１】
以下に、本発明を実施するための形態について、図面に依拠して説明する。本発明に係る上下スライド式ボード機構は、上下動するボード１の背面に昇降機構が設置され、その昇降機構に昇降動作を補助するように作用する定荷重ばね８を収納したばね箱７が設置されていることを特徴としている。
【００１２】
昇降機構自体は従来から用いられている一般的な構成のもので、壁に取り付け固定されるケース１１に、その両端部を貫いて上下方向に摺動するように、ボード保持フレームを構成するガイドバー１２、１３が設置される。ガイドバー１２、１３の上端は上部連結材１４によって連結され、その下端は下部連結材１５によって連結される。
【００１３】
ケース１１内には、一対の滑車１６、１７と、滑車１６、１７に掛け回される２条のワイヤー１８、１９と、ワイヤー１８を付勢するスプリング２０とが配備され、各ワイヤー１８、１９の端部が下部連結材１５に固定される。また、ブレーキ板２１及びブレーキハンドル２２の作用でボード１をロックし、ボード１を所望位置で停止させることができるように構成される。以上のボードの昇降機構の構成及びボード保持フレームの昇降作用は、従来のものと特に変わりはない。
【００１４】
上述したように、本発明に係る上下スライド式ボード機構においては、ケース１１の側面又は壁面に、巻き定荷重ばね８を収納するばね箱７が設置される。例えば、ばね箱７には適宜ブラケットが設けられ、そのブラケットを介してケース１１に設置される。ばね箱７に収納される定荷重ばね８は、汎用商品名がコンストンバネと呼ばれるもので、ばね箱７から引き出される荷重に対して、巻き戻し方向への均衡復元力を有するものである。定荷重ばね８の先端部にはＬ字形プレート９が取り付けられ、このＬ字形プレート９が下部連結材１５、あるいは、ボード１の裏面に固定される。
【００１５】
上記構成において、ボード１を昇降させるに際してロックを外すと、ボード１の荷重は、定荷重ばね８がバネ箱７内に巻き戻ろうとする等、反発ばねのトルク特性により、Ｌ字形プレート９を介して帯状バネ８に連結されているボード１との荷重が、吊り合い状態になる。従って、如何にボード１が重いとしても、その上げ下げ操作は、極めて容易いこととなる。
【００１６】
このように本発明に係る上下スライド式ボード機構は、シンプルな構成であって、老若男女を問わず、力を必要としない簡単な操作で、ボード１を任意の高さ位置に移動させてその位置に固定することができる、大変に有用なものである。
【００１７】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【符号の説明】
【００１８】
１    ボード
７    ばね箱
８    定荷重ばね
９    Ｌ字形プレート
１１    ケース
【図１】
2013010356.tif 000003
【図２】
2013010356.tif 000004
【図３】
2013010356.tif 000005
【図４】
2013010356.tif 000006